(57)【要約】      （修正有）【課題】取り付け外しが容易なねじ素子、及び、前記ねじ素子を利用して便器蓋を鎖固する構造を提供する。【解決手段】ねじ棒１０とナット２０からなるねじ素子により、便器蓋３０を便器本体４０上に固定し、ねじ棒は板部１１の端頭を有してナットと貫通螺接し、ナットはナット体上に小径の凸接端２３を形成し、鎖孔４１（便器本体上の鎖孔）と相互に固定され、ナットは鎖孔中で転動が制限され、これにより、ねじ棒上の板部は直接ナットと対鎖されて、どんな工具も必要とせず、簡単に挟合固定できる。【選択図】図２
0003132703.tif 000002
【実用新案登録請求の範囲】
【請求項１】
取り付け外しが容易なねじ素子、及び、前記ねじ素子を利用して便器蓋を鎖固する構造であって、前記ねじ素子は主に、ねじ棒とナットからなり、
前記ねじ棒は板部の端頭を有して前記ナットと貫通螺接し、
前記ナットは中央貫通する内螺孔を有して前記ねじ棒を鎖接し、前記ナット体は大径の抵縁端と小径の凸接端を有して相互に固定し、前記ナットは鎖孔中で転動が制限されることを特徴とする取り付け外しが容易なねじ素子、及び、前記ねじ素子を利用して便器蓋を鎖固する構造。
【請求項２】
前記板部は旋転ボタンにより前記ねじ棒端頭の凸縁上に枢接されることを特徴とする請求項１に記載の取り付け外しが容易なねじ素子、及び、前記ねじ素子を利用して便器蓋を鎖固する構造。
【請求項３】
前記旋転ボタンは一端が枢接端の板片体で、前記枢接端は軸孔を有し、前記凸縁頂端の耳は軸栓により枢接することを特徴とする請求項ｗに記載の取り付け外しが容易なねじ素子、及び、前記ねじ素子を利用して便器蓋を鎖固する構造。
【請求項４】
前記板部は主に、前記ねじ棒端頭に快速取り外しできる柄を枢接し、前記快速取り外し柄下端のねじ棒上に環体を有することを特徴とする請求項１に記載の取り付け外しが容易なねじ素子、及び、前記ねじ素子を利用して便器蓋を鎖固する構造。
【請求項５】
取り付け外しが容易なねじ素子、及び、前記ねじ素子を利用して便器蓋を鎖固する構造であって、主に、ねじ素子により便器蓋を便器本体上に挟合鎖固し、
前記ねじ棒は板部の端頭を有し、
前記ナットは中央貫通する内螺孔を有して前記ねじ棒を鎖接し、前記ナット体は大径の抵縁端と小径の凸接端を有して、前記便器本体上の鎖孔と相互に固定し、前記ナットは鎖孔中で転動が制限され、
前記便器蓋は後端の両側と前記便器本体の鎖孔の相対する位置に二固定座を有し、前記固定座上にねじ棒を穿設する穿孔を有することを特徴とする取り付け外しが容易なねじ素子、及び、前記ねじ素子を利用して便器蓋を鎖固する構造。
【請求項６】
前記板部は旋転ボタンにより前記ねじ棒端頭の凸縁上に枢接されることを特徴とする請求項５に記載の取り付け外しが容易なねじ素子、及び、前記ねじ素子を利用して便器蓋を鎖固する構造。
【請求項７】
前記板部は主に、前記ねじ棒端頭に快速取り外しできる柄を枢接し、前記快速取り外し柄下端のねじ棒上に環体を有することを特徴とする請求項５に記載の取り付け外しが容易なねじ素子、及び、前記ねじ素子を利用して便器蓋を鎖固する構造。
【請求項８】
前記便器蓋固定座後端は穿孔に連通する溝を有し、前記溝は前記ねじ棒を前記穿孔内に伸入させることを特徴とする請求項５に記載の取り付け外しが容易なねじ素子、及び、前記ねじ素子を利用して便器蓋を鎖固する構造。
【請求項９】
取り付け外しが容易なねじ素子、及び、前記ねじ素子を利用して便器蓋を鎖固する構造であって、主に、ねじ素子により便器蓋を便器本体に挟合鎖固するものであって、
前記ねじ棒は板部の端頭を有し、
前記ナットは中央貫通する内螺孔を有して前記ねじ棒を鎖接し、前記ナット体は大径の抵縁端と小径の凸接端を有し、
前記便器蓋は後端の両側と前記便器本体の円形鎖孔の相対する位置に二固定座を有し、前記固定座底端は挿接端を突出し、前記挿接端内の穿孔と前記ナットの凸接端が固定されることを特徴とする取り付け外しが容易なねじ素子、及び、前記ねじ素子を利用して便器蓋を鎖固する構造。
【請求項１０】
前記挿接端は円柱体中央に開口を形成し、前記開口は頂端まで貫通して両側に切辺を有する穿孔を形成することを特徴とする請求項９に記載の取り付け外しが容易なねじ素子、及び、前記ねじ素子を利用して便器蓋を鎖固する構造。
【請求項１１】
前記ナットの凸接端は前記穿孔に対応し二平行切辺を有し、前記ナットは前記開口の挿接端内で相互に固定されることを特徴とする請求項９に記載の取り付け外しが容易なねじ素子、及び、前記ねじ素子を利用して便器蓋を鎖固する構造。
【考案の詳細な説明】
【技術分野】
【０００１】
本考案はねじ素子に関し、特に、どんな工具も必要なしに容易に挟合固定できるねじ素子に関するものである。
【背景技術】
【０００２】
便器蓋は便座と蓋からなり、便座後端は固定座と便器本体を相互に鎖固し、公知の鎖固方式は直接、便器本体下端、及び、上端を同時に、二工具によりねじ素子で相互に固定し、取り外しには、工具を使用し、便器下端のナット位置は上方から直接目視できないので、取り外し時不便を感じる。よって、便器洗浄時に蓋を取り外して洗浄する人は少なく、衛生面における死角となっている。現代人は家やマンションの賃貸が頻繁であり、便器蓋を入居時に取り換えたほうが衛生的であるが、前述のように、公知の便器蓋は取り外しが不便である。
【０００３】
ある業者は、便器蓋の鎖固構造を開示し（米国特許第4319365号）、本構造の主な特徴は、便器蓋の固定座が複数の縦向けの溝を有する管状挿入柱を延伸し、挿入柱を便器本体の鎖孔中に挿置し、且つ、挿入柱の柱径は鎖孔の孔径より若干小さく、螺栓により挿入柱を貫通し、中段の径が大きい外拡状のナットと鎖合し、ナット両端の直径は挿入柱の内径より小さく、ナットの外縁は挿入柱の溝と対応する凸棒を有して、ナットが凸棒により挿入柱の溝と定位し、これにより、螺栓を旋転させた後、ナットが固定座の挿入柱の制限を受けるので、ナットが上向けにシフトし、挿入柱の内径より小さい一端と大きい径の中段が形成する斜角外縁を利用し、複数の縦向けの溝を有する挿入柱を外に拡張して鎖孔を圧迫し、鎖孔と生成される押圧により固定されるが、この種の固定方式は安定感が悪く、且つ、挿入柱はプラスチック材質に限定されるので、常的な圧迫で変形が生じ、断裂が生じる恐れがある。
【考案の開示】
【考案が解決しようとする課題】
【０００４】
本考案は、簡単、且つ、快速に便器の蓋の取り付け外しが可能な便器の蓋のねじ素子構造を提供することを目的とする。
【課題を解決するための手段】
【０００５】
上述の目的を達成するため、本考案は、ねじ棒とナットからなるねじ素子により、便器蓋を便器本体上に固定し、ねじ棒は板部の端頭を有してナットと貫通螺接し、ナットはナット体上に小径の凸接端を形成し、鎖孔（便器本体上の鎖孔）と相互に固定され、ナットは鎖孔中で転動が制限され、これにより、ねじ棒上の板部は直接ナットと対鎖されて、どんな工具も必要とせず、簡単に挟合固定できる。
【考案の効果】
【０００６】
本考案のねじ素子により、便器蓋はどんな工具も必要なしに容易に挟合固定できる。
【考案を実施するための最良の形態】
【０００７】
図１〜図４は、本考案のねじ素子Aを示す図で、主に、ねじ棒１０とナット２０からなる。
【０００８】
ねじ棒１０は板部１１の端頭を有してナット２０と貫通螺接し、板部１１は旋転ボタン１１０によりねじ棒端頭の凸縁１１１上に枢接される。凸縁１１１は頂端に栓孔１１２０を有する耳１１２を形成して旋転ボタン１１０を枢接し、旋転ボタン１１０は一端が枢接端である板片体で、枢接端は軸孔１１０１を有し、凸縁１１１頂端の耳１１２は軸栓により枢接する。
【０００９】
ナット２０は中央に内螺孔２１を貫通してねじ棒１０を鎖接し、ナット体は大径の抵縁端２２と小径の凸接端２３を有して鎖孔４１（便器本体上の鎖孔）と相互に結合される。本実施例中、凸接端２３と鎖孔４１は四角形で、ナット２０は鎖孔４１中で転動が制限される。
【００１０】
便器蓋３０は上述のねじ棒１０によりナット２０と固定時、便器蓋３０後端両側と便器本体４０の鎖孔４１の相対位置に、二固定座３１を有し、固定座３１上に凹状の穿孔３１０を有して、ねじ棒端頭の凸縁１１１を容置する。便器本体４０の鎖孔４１は四角形であり、ナット２０も四角形に設計された凸接端２３と結合し、大径の抵縁端２２は鎖孔４１外に固定される。
【００１１】
便器蓋３０を装着したい時、ナット２０が便器本体４０の鎖孔４１に穿接され、ねじ棒１０は便器蓋３０の固定座３１の穿孔３１０から下向けにナット２０と鎖接し、ナット２０の四角形の凸接端２３と便器本体４０の四角形鎖孔４１の設計により、ナット２０は鎖孔４１内で移動が制限される。また、大径の抵縁端２２は鎖孔４１外に設置され、故に、ねじ棒１０とナット２０は便器蓋３０の固定座３１と挟合固定され、叉、ねじ棒１０端頭の旋転ボタン１１０板部１１は板片状であるので、使用時に、自由に枢転し、垂直状操作や平坦放置が可能である（図５、図６）。
【００１２】
図７〜図９は本考案の第二実施例を示す図で、ねじ素子A’のねじ棒１０A端頭上の板部１１Aは、主に、ねじ棒１０A端頭に快速取り外しできる柄１１３を枢接し、快速取り外し柄１１３下端のねじ棒１０A上に環体１１４を有し、よって、柄１１３により、快速にねじ棒１０Aとナット２０を固定し、固定後、柄１１３を反対側に偏転させ、柄１１３は偏心状の枢接端１１３０を有するので、ねじ棒１０Aとナット２０が固定後、柄１１３の枢接端１１３０が環体を圧迫し、ねじ棒１０Aとナット２０は便器蓋を挟合鎖固する。また、図１０の第三実施例中、ねじ素子A’はまず、便器本体４０の鎖孔４１に結合され、便器蓋３０の固定座３１A後端は穿孔３１０に連通する溝３１１を形成し、溝３１１によりねじ棒１０Aが穿孔１０内に伸入し、これにより、ねじ素子A’を分離しなくても便器蓋３０が装着、取り外しできる。
【００１３】
特に、ナット２０の凸接端２３は、鎖孔と結合して回転を制限する作用があれば、四角形に限定されず、三角形、多辺形、楕円形、或いは、不規則形状の幾何学形でもよい。
【００１４】
図１１、図１２は本考案の第四、第五実施例を示す図で、両実施例中、便器本体の鎖孔４１Aは円孔状で、便器蓋３０後端両側と鎖孔４１Aの相対位置の固定座３１ｂ底端は挿接端３１２を突出し、挿接端３１２内に穿孔３１３を有し、ナット２０Ａの凸接端２３Ａと結合する。本実施例中、挿接端３１２は円柱体底端中央軸向きに開口３１２０を有し、開口３１２９は頂端まで貫通して、両側が切辺を有する穿孔３１３を形成し、穿孔３１３外は円形の凹面３１４を設置して、凸縁１１１を容置する。ナット２０Ａの凸接端２３Ａは穿孔３１３に対応し、二平行切辺２３０を有し、ナット２０Ａは開口３１２０を有する挿接端３１２と固定され、更に、ねじ棒１０とナット２０Ａの鎖接により、便器蓋３０両側はねじ素子Ａ（Ａ’）の制限を受けるので、ナット２０Ａと固定座３１ｂの穿孔３１３は円形の鎖孔４１Ａ内で転動を生成せず、ねじ棒１０とナット２０Ａは便器蓋の固定座３１ｂと便器を挟合鎖固する。
【００１５】
本考案は、便器蓋の取りつけ外しに何の工具も必要とせず、簡単に鎖固でき、且つ、本考案の主要技術手段は相関する刊行では発表されておらず、考案申請の条件に符合する。
【００１６】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１７】
【図１】本考案の第一実施例の立体図である。
【図２】本考案の第一実施例の立体分解図である。
【図３】本考案の第一実施例の局部立体分解図である。
【図４】本考案の第一実施例の局部組み合わせ図である。
【図５】本考案の第一実施例の局部断面動作図である。
【図６】本考案の第一実施例のもう一つの局部断面図である。
【図７】本考案の第二実施例の立体図である。
【図８】本考案の第二実施例の立体分解図である。
【図９】本考案の第二実施例の局部断面動作図である。
【図１０】本考案の第三実施例の立体図である。
【図１１】本考案の第四実施例の立体図である。
【図１２】本考案の第五実施例の立体図である。
【符号の説明】
【００１８】
A、A’      ねじ素子
10、10A    ねじ棒
11、11A    板部
110        旋転ボタン
1101       軸孔
111        凸縁
112        耳
1120       栓孔
113        快速取り外し柄
1130       枢接端
114        環体
20、20A    ナット
21          内螺孔
22          抵縁端
23、23A    凸接端
230        切辺
30          便器蓋
31、31A、31ｂ 固定座
310        穿孔
311        溝
312        挿接端
3120       開口
313        穿孔
314        凹面
40         便器本体
41、41A    鎖孔
【図１】
0003132703.tif 000003
【図２】
0003132703.tif 000004
【図３】
0003132703.tif 000005
【図４】
0003132703.tif 000006
【図５】
0003132703.tif 000007
【図６】
0003132703.tif 000008
【図７】
0003132703.tif 000009
【図８】
0003132703.tif 000010
【図９】
0003132703.tif 000011
【図１０】
0003132703.tif 000012
【図１１】
0003132703.tif 000013
【図１２】
0003132703.tif 000014
【手続補正書】
【提出日】平成19年3月29日(2007.3.29)
【手続補正２】
【補正対象書類名】実用新案登録請求の範囲
【補正対象項目名】請求項３
【補正方法】変更
【補正の内容】
【請求項３】
前記旋転ボタンは一端が枢接端の板片体で、前記枢接端は軸孔を有し、前記凸縁頂端の耳は軸栓により枢接することを特徴とする請求項１に記載の取り付け外しが容易なねじ素子、及び、前記ねじ素子を利用して便器蓋を鎖固する構造。